(57)【要約】【課題】ひとつの絞り装置で開口形状を第１形状と第２形状との間で切り替えることができる絞り装置を提供すること。【解決手段】駆動ピンが固定された複数枚の絞り羽根と、前記絞り羽根を支持するベース部材と、前記絞り羽根の前記駆動ピンに係合する第一のカムを有する第一のカム部材と、前記絞り羽根の前記駆動ピンに係合する第二のカムを有する第二のカム部材と、を備えた絞り装置において、前記第一のカムと、前記第二のカムを、選択的に切り替える手段を持つことを特徴とする。【選択図】図３
2020020843.tif 000002
【特許請求の範囲】
【請求項１】
駆動ピンが固定された複数枚の絞り羽根と、
前記絞り羽根を支持するベース部材と、
前記絞り羽根の前記駆動ピンに係合する第一のカムを有する第一のカム部材と、
前記絞り羽根の前記駆動ピンに係合する第二のカムを有する第二のカム部材と、
を備えた絞り装置において、
前記第一のカムと、前記第二のカムを、選択的に切り替える手段を持つことを特徴とするレンズ装置。
【請求項２】
前記第一もしくは前記第二のカム部材を光軸方向へと移動することにより他方のカムと切り替えることを特徴とする請求項１に記載のレンズ装置。
【請求項３】
前記第一もしくは前記第二のカムの軌跡によって、第１の開口形状を形成し、他方のカムの軌跡によって第２の開口形状を形成することを特徴とする請求項１又は請求項２に記載のレンズ装置。
【請求項４】
前記第一もしくは前記第二のカムの幅は他方のカム幅に含まれることを特徴とする請求項１乃至請求項３の何れか一項に記載のレンズ装置。
【請求項５】
前記絞り羽根を光軸へ向かう方向に付勢する付勢手段を有することを特徴とする請求項１乃至請求項４の何れか一項に記載のレンズ装置。
【請求項６】
前記第一のカムと、前記第二のカムを、選択的に切り替えることが可能な位置は、前記絞り羽根の開放付近であることを特徴とする請求項１乃至請求項５の何れか一項に記載のレンズ装置。
【請求項７】
前記第一もしくは前記第二のカムの開放端には前記駆動ピンを逃げる逃げ形状を有していること特徴とする請求項１乃至請求項６の何れか一項に記載のレンズ装置。
【発明の詳細な説明】
【技術分野】
【０００１】
本発明は、撮影用レンズ装置に用いられる絞り装置に関し、特に絞り装置の開口形状が切り替わる絞り装置及びそれを有するレンズ装置及び撮像装置に関する。
【背景技術】
【０００２】
従来より、回転軸を備えた複数枚の絞り羽根を同一円周上に等角度間隔に配置し、絞り羽根の回転軸周りの回動によって絞り羽根内縁部の重なりで形成される絞り開口を変化させる絞り装置が知られている。
【０００３】
絞り開口形状は撮影映像における主被写体の周辺のボケ味の良さに影響し、一般的に綺麗なボケ像を得られることから、円形に近い絞り開口形状が求められる。一方で、アナモフィックレンズの独特な略楕円形状のボケ像を求める撮影者も存在する。
【０００４】
ここで、撮影者が一つの撮影装置を使用して、撮影時に得たいボケ像に応じて円形と略楕円形の開口形状を切り替える場合、特許文献１に示すように複数の絞り開口形状を選択する構造が提案されている。
【先行技術文献】
【特許文献】
【０００５】
【特許文献１】特開平０４−２６９７２７号公報
【発明の概要】
【発明が解決しようとする課題】
【０００６】
しかしながら、上記の特許文献１によると、開口形状を切り替える構造は、複数の開口形状をそれぞれ専用の形状として持つ絞り開口部を構成しているために、撮影装置の小型化の妨げになる。また、動画の撮影中において、開口形状を切り替えると切り替わり部分で一度光を通さない状態になるために、連続的に切り替えることができないという課題がある。
【０００７】
そこで、本発明の目的は、ひとつの絞り装置で開口形状を切り替えることができる絞り装置及びそれを有するレンズ装置及び撮影装置を提供することにある。
【課題を解決するための手段】
【０００８】
上記の目的を達成するために、本発明に係るレンズ装置は、駆動ピンが固定された複数枚の絞り羽根と、前記絞り羽根を支持するベース部材と、前記絞り羽根の前記駆動ピンに係合する第一のカムを有する第一のカム部材と、前記絞り羽根の前記駆動ピンに係合する第二のカムを有する第二のカム部材と、を備えた絞り装置において、前記第一のカムと、前記第二のカムを、選択的に切り替える手段を持つことを特徴とする。
【発明の効果】
【０００９】
本発明に係るレンズ装置によれば、撮影者が撮影時に得たいボケ味の効果に応じて開口形状を切り替えることができる絞り装置を提供することができる。さらに、絞り羽根をカム溝端面に付勢することが出来るため、カム溝と駆動ピンのガタによる光量変化を抑制することができる。
【図面の簡単な説明】
【００１０】
【図１】本実施例におけるレンズ装置の全体図
【図２】図１の断面図
【図３】図２より切り替えリングを矢印Ａ方向へ動かした図
【図４】絞り装置の分解斜視図
【図５】複数の絞り羽根と複数のバネと絞り羽根収納部の関係を表した図
【図６】絞り装置の斜視図
【図７】絞りの開口を円形で駆動させた時の絞り装置の図
【図８】図６より円形用カム部材を矢印Ａ方向へ動かした図
【図９】絞りの開口を略楕円形で駆動させた時の絞り装置の図
【発明を実施するための形態】
【００１１】
以下、本発明を実施するための形態について、図面を参照しながら説明する。
【実施例１】
【００１２】
図１から図６を参照しながら、本実施例のレンズ装置について説明する。
［レンズ装置の説明］
以下、図１、図２、図３を参照し、本発明の第１の実施形態のレンズ装置構成について説明する。
【００１３】
図１は本実施例におけるレンズ装置１００の一部の図を示す。
【００１４】
レンズ装置１００には、不図示のレンズ群と前後で連結する固定筒１０１と手動操作ができ、回転させることで絞りの口径を変化させることが可能な絞り操作リング１０２と光軸方向の前後に手動操作ができる切り替えリング１０３が構成されている。絞り操作リング１０２は、固定筒１０１の外径を摺動回転していて、絞り操作リング１０２には明るさを示す絞り操作リング表示部１０４が表示されている。撮影者は、絞り操作リング１０２を回転し、所望の明るさになるように絞り操作リング表示部１０４の数値を固定筒１０１に印刷や彫刻によって刻まれた指標線１０５に合わせればよい。ここで図１の左側を被写体側、右側をセンサ側と定義する。
【００１５】
図２は、図１の断面図を示す。
【００１６】
絞り装置２０１は、不図示のフォーカスやズーム、リレー部といったレンズ群の開口径を決めており、絞り開口形状が連続的に変化する絞り駆動部である。絞り操作リング１０２には、絞り操作リング連結軸２０２が固定されており、絞り操作リング連結軸２０２の先端は、絞り装置２０１に構成される回転部材の風車部材２０３に固定される。風車部材２０３は、絞り羽根収納部２０４の内径を摺動可能な状態で保持されており、絞り操作リング１０２を回転操作すると絞り操作リング連結軸２０２によって回転力が風車部材２０３に伝わり回転する。切り替えリング１０３には切り替えリング連結部２０５が固定されており、切り替えリング連結部２０５の先端は、絞り装置２０１に構成される円形用カム部材２０６に固定される。
【００１７】
図３は図２の断面図より切り替えリング１０３を矢印Ａ方向のセンサ側へ動かした図である。
【００１８】
切り替えリング１０３を前後に移動させると切り替えリング連結部２０５を通して固定されている円形用カム部材２０６も一緒に前後に動く構成となっている。絞り開口形状を切り替える具体的な構成については後述する。
【００１９】
［絞り装置の構成の説明］
以下、図４、図５を参照し、本発明の第１の実施形態の絞り装置の構成の説明について説明する。
【００２０】
図４は絞り装置２０１の分解斜視図である。
【００２１】
絞り装置２０１はカム部材を２種類備えており、円形の開口形状を形成可能な円形用カム部材２０６は図２に示した切り替えリング連結部２０５によってその位置を保持している。略楕円形の開口形状を形成可能な楕円形用カム部材２０７は絞り羽根収納部２０４に対して複数のビス３０１によって固定されている。
【００２２】
図５は複数の絞り羽根３０２と複数のバネ３０３と絞り羽根収納部２０４の関係を表した図である。
【００２３】
複数の絞り羽根３０２には、楕円形用カム部材２０７もしくは円形用カム部材２０６のカム溝に係合する駆動ピン３０２１と、風車部材２０３に開けられた不図示であるピン穴に挿入する回転中心ピン３０２２とが一体となって構成されている。
【００２４】
駆動ピン３０２１は円形用カム部材２０６のカム溝にも届くよう十分に長さがあるものとする。
【００２５】
回転中心ピン３０２２には複数のバネ３０３が組み込まれていて、複数のバネ３０３の一端は風車部材２０３のボス部２０３１と当接し、他端は複数の絞り羽根３０２に設けられた切り欠き部３０２３に引っ掛けられている。複数のバネ３０３は開き方向に力が働くバネのため、ボス部２０３１に当接している端を支点に切り欠き部３０２３へ矢印Ｂ方向の付勢力を加え、駆動ピン３０２１も同様に矢印Ｂ方向へ付勢される構成になっている。
詳細は後述するが絞り操作リング１０２を操作すると、風車部材２０３が回転する。複数の絞り羽根３０２は回転中心ピン３０２２を中心に、駆動ピン３０２１が楕円形用カム部材２０７もしくは円形用カム部材２０６のカム溝に沿うように回転し、複数の絞り羽根３０２の内径で構成される開口形状が変化する構成となっている。
【００２６】
［絞り開口形状の切り替え構成の説明］
以下、図３、図６、図７、図８、図９を参照し、本発明の第１の実施形態の絞り開口形状の切り替え構成について説明する。
【００２７】
図６は絞り装置２０１の斜視図である。
【００２８】
円形用カム部材２０６は前述したように切り替えリング１０３の動作に伴って前後に動くことで、絞りの開口を円形と略楕円形の２種類の絞り開口形状をユーザの任意で選択することができる。具体的には円形の絞り開口形状で使用したい時には被写体側に切り替えリング１０３を操作する（円形モードと定義する）。この時、切り替えリング１０３を被写体側に操作できるのは図６の様に駆動ピン３０２１が絞り開放付近に位置している時のみである。
【００２９】
円形用カム部材２０６に設けられた円形カム溝２０６１の絞り開放付近は逃げ形状２０６２を備えており、切り替えリング１０３がセンサ側より被写体側へ操作されたときに駆動ピン３０２１が円形用カム部材２０６に干渉しない構成になっている。駆動ピン３０２１が絞り開放付近以外の位置にある時に切り替えリング１０３を被写体側へ操作すると円形用カム部材２０６が駆動ピン３０２１に干渉し、切り替えることが出来ない。
【００３０】
図７は絞りの開口を円形で駆動させた時の絞り装置２０１の図である。
【００３１】
図７に示すように円形モード時には複数の絞り羽根３０２に設けられた駆動ピン３０２１は円形カム溝２０６１に沿って回転し、絞りの開口は円形の形状になる。
【００３２】
図８は図６の斜視図より円形用カム部材２０６を矢印Ｃ方向へ動かした図である。
【００３３】
略楕円形の絞り開口形状で使用したい時には図３、図８に示すようにセンサ側に切り替えリング１０３を操作する（楕円形モードと定義する）。円形用カム部材２０６が切り替えリング１０３と共にセンサ側に移動するため、駆動ピン３０２１が円形カム溝２０６１より離間し、楕円形カム溝２０７１のみで嵌合するようになる。切り替えリング１０３をセンサ側へ操作できるのは駆動ピン３０２１がどの位置にいても可能である。
【００３４】
図９は絞りの開口を略楕円形で駆動させた時の絞り装置２０１の図である。
【００３５】
図９に示すように楕円形用カム部材２０７に設けられた楕円形カム溝２０７１はボス部２０３１よりも大きな幅で構成されている。楕円形モード時、複数の絞り羽根３０２に設けられた駆動ピン３０２１は前述したように複数のバネ３０３によって内径側に（光軸へ向かう方向に）付勢されるため、駆動ピン３０２１は楕円形カム溝２０７１の内径側のみに沿って駆動する。絞りの開口は図中上下方向が長軸方向となる略楕円形状もしくは複数の円弧を滑らかに結んだ略楕円形状になる。
【００３６】
楕円形カム溝２０７１の内径側のカム溝は円形カム溝２０６１の内径側のカム溝より小さく、楕円形カム溝２０７１の外径側のカム溝は円形カム溝２０６１の外径側のカム溝より大きい。つまり、楕円形カム溝２０７１の幅は円形カム溝２０６１の幅以上のカム溝となっている。円形モード時には円形カム溝２０６１は楕円形カム溝２０７１より小さい幅のため、円形カム溝２０６１のみでカムが決まり、楕円モード時には複数のバネ３０３によって内径側へ付勢されることで片寄せされ、内径側の楕円形カム溝２０７１のみでカムが決まる。楕円形カム溝２０７１の外径側は大きく逃げており、駆動ピン３０２１が当たることはない。このように構成することで２つのカム部材の切り替えを可能としている。
【００３７】
本発明によれば、切り替えリング１０３を操作するだけで、絞りの開口形状を略楕円形と円形から選択できる。さらに、絞り羽根をカム溝端面に付勢することが出来るため、カム溝と駆動ピンのガタによる光量変化を抑制することができる。
【００３８】
以上、本発明の好ましい実施形態について説明したが、本発明はこれらの実施形態に限定されず、その要旨の範囲内で種々の変形及び変更が可能である。
【符号の説明】
【００３９】
１００  レンズ装置、１０１  固定筒、１０２  絞り操作リング、
１０３  切り替えリング、１０４  絞り操作リング表示部、１０５  指標線、
２０１  絞り装置、２０２  絞り操作リング連結軸、２０３  風車部材、
２０４  絞り羽根収納部、２０５  切り替えリング連結部、２０６  円形用カム部材、
２０６１  円形カム溝、２０６２  逃げ形状、２０７  楕円形用カム部材、
２０７１  楕円形カム溝、３０１  複数のビス、３０２  複数の絞り羽根、
３０２１  駆動ピン、３０２２  回転中心ピン、３０３  複数のバネ
【図１】
2020020843.tif 000003
【図２】
2020020843.tif 000004
【図３】
2020020843.tif 000005
【図４】
2020020843.tif 000006
【図５】
2020020843.tif 000007
【図６】
2020020843.tif 000008
【図７】
2020020843.tif 000009
【図８】
2020020843.tif 000010
【図９】
2020020843.tif 000011